(57)【要約】【課題】蓄電池の駆動経過時間を装置外部から確認可能である照明装置を提供することである。【解決手段】実施形態の照明装置１０は、報知部１と、外部電源１８から供給された電力を充電可能な蓄電池１２と、蓄電池１２を点検する点検部１５と、外部電源１８または蓄電池１２から供給される電力により駆動し、時間を計時する計時部１７と、計時部１７が計時した時間から駆動経過時間を算出し報知部１により経過時間を報知させる制御部１３とを備える。【選択図】図３
2019160440.tif 000002
【特許請求の範囲】
【請求項１】
報知部と；
外部電源から供給された電力を充電可能な蓄電池と；
前記蓄電池を点検する点検部と；
前記外部電源または前記蓄電池から供給される電力により駆動し、時間を計時する計時部と；
前記計時部が計時した時間から駆動経過時間を算出し前記報知部により経過時間を報知させる制御部と；
を備えたことを特徴とする照明装置。
【請求項２】
前記制御部は、前記計時部が予め設定した時間経過時に前記報知部により報知させることを特徴とする請求項１に記載の照明装置。
【請求項３】
前記計時部が予め設定した時間経過時に点検を実施した場合、点検実施後に前記報知部により報知させることを特徴とする請求項１または請求項２に記載の照明装置。
【請求項４】
前記照明装置は、さらに外部端末と通信可能な通信部を備え、
前記制御部は、前記計時部が計時した時間から駆動経過時間を算出し、算出した駆動経過時間の情報を前記通信部を介して前記外部端末に送信することを特徴とする請求項１ないし請求項３のいずれか一記載の照明装置。
【請求項５】
前記請求項４に記載の照明装置と、
前記照明装置と通信可能であり、前記照明装置から受信した情報を表示する表示部を有する前記外部端末と、
を備えたことを特徴とする照明システム。
【発明の詳細な説明】
【技術分野】
【０００１】
本発明の実施形態は、照明装置および照明システムに関する。
【背景技術】
【０００２】
従来、非常時に非常用電源を用いて点灯する非常灯や避難経路等への誘導のために点灯する誘導灯などの非常用照明装置が提供されている。
【０００３】
非常用照明装置は、法令により非常用照明装置の点検を定期的に行うことが定められている。非常用照明装置の定期的な点検は、例えば、外部電源からの電力の供給を一時的に遮断し、蓄電池からの電力の供給により光源が規定の点検時間以上連続して点灯するか否かを確認する。また、非常用照明装置の外観に異常がないか外観検査を行う。
【０００４】
さらに、非常用照明装置に搭載されている蓄電池の交換時期が定められており、４〜６年が適正交換時期とされている。
【０００５】
このような非常用照明装置は、定期的な点検および適正時期の部品交換を実施することで正常な機能を確保し、火災などの万が一の事態に対応できるように維持管理する必要がある。
【０００６】
しかしながら、複数の非常用照明装置を設置している場合、定期的な点検作業は煩雑であり、作業者が定められた点検時期に点検を忘れ、長期間未点検の期間が経過してしまう懸念がある。また、蓄電池は照明装置の内部に搭載されているため、蓄電池が駆動を開始して何年経過したのか把握することが難しいため、蓄電池の適正な交換時期が分かり難い問題がある。
【先行技術文献】
【特許文献】
【０００７】
【特許文献１】特開２００７−２１４１４６号公報
【発明の概要】
【発明が解決しようとする課題】
【０００８】
本発明が解決しようとする課題は、蓄電池の駆動経過時間を装置外部から確認可能である照明装置を提供することである。
【課題を解決するための手段】
【０００９】
実施形態の照明装置は、報知部と、外部電源から供給された電力を充電可能な蓄電池と、蓄電池を点検する点検部と、外部電源または蓄電池から供給される電力により駆動し、時間を計時する計時部と、計時部が計時した時間から駆動経過時間を算出し報知部により経過時間を報知させる制御部とを備える。
【発明の効果】
【００１０】
本発明によれば、装置外部から容易に蓄電池の駆動経過時間を把握することができる。
【図面の簡単な説明】
【００１１】
【図１】実施形態の照明システムの構成を示す斜視図である。
【図２】同上照明装置を示す斜視図である。
【図３】同上照明装置の構成例を示すブロック図である。
【図４】同上照明システムの動作を示すシーケンス図である。
【図５】同上照明システムの動作を示すシーケンス図である。
【図６】同上照明システムの動作を示すシーケンス図である。
【発明を実施するための形態】
【００１２】
以下、第１の実施形態を図面を参照して説明する。
【００１３】
図１は本実施の形態の照明システムの構成を示す。図１に示すように、照明システム１００は、オフィス内の照明空間１０００の天井面に設置された複数の照明装置１０（１０a〜１０i)と、照明装置１０と通信可能に接続される外部端末２０とから構成される。具体的には、照明装置１０は停電時などの非常時に点灯する非常灯であり、それぞれ天井面に所定の間隔で設置されている。
【００１４】
尚、本実施形態では、照明装置１０は、９台配置した場合について説明するが、これに限定されるものではなく、複数台（ｎ台（ｎは整数））配置されればよい。
【００１５】
外部端末２０は、スマートフォンやタブレット端末等の携帯端末であり、照明装置１０と無線通信が可能に構成されている。
【００１６】
また、各照明装置１０a〜１０i間、および各照明装置１０a〜１０iと外部端末２０との間の通信方式は、たとえば、ＢＬＥ（Bluetooth（登録商標）Low  Energy）などのメッシュネットワークが可能な無線通信方式である。
【００１７】
図２および図３は、照明装置１０の構成を示している。この照明装置１０は、光源１１と、報知部１と、蓄電池１２と、制御部１３および点検部１５、計時部１７と、通信部１４とを備え、これらは照明装置の筐体１６の内部に収納されている。また、筐体１６の背面側には、外部電源１８と接続される端子台１９が設けられている。
【００１８】
光源１１は、たとえば発光ダイオード(ＬＥＤ)あるいはレーザダイオードなどの半導体発光素子、または、有機ＥＬ素子(ＯＬＥＤ)などで構成された発光モジュールが用いられ、白色光を出射するように構成されている。光源１１は、発光モジュールから放射された光の配光を制御する透明なガラス製または樹脂製のレンズを有する。
【００１９】
報知部１は、たとえば、モニタランプであり、発光ダイオード(ＬＥＤ)あるいはレーザダイオードなどの半導体発光素子、または、有機ＥＬ素子(ＯＬＥＤ)などで構成された発光モジュールが用いられる。報知部１は、外部電源１８または蓄電池１２の電力が制御部１３を介して供給されることにより点灯する。この報知部１は、照明装置１０の外から見える位置に配設されており、使用者が筐体１６の外部から点灯状態を目視して確認できる。
【００２０】
蓄電池１２は、筐体１６の内部に着脱可能な電池であり、ニカド電池、ニッケル水素電池、あるいはリチウムイオン電池などの充電可能な二次電池である。蓄電池１２は、照明装置１０の製造時に充電された状態となっており、照明装置１０の施工時に照明装置１０に取付けられる。
【００２１】
外部電源１８は、商用交流電源、あるいは直流電源など、任意の電源とすることが可能である。本実施形態では、外部電源を商用交流電源としている。
【００２２】
端子台１９は、筐体１６の背面側に設けられており、図示しない電線を介して外部電源１８と制御部１３とを電気的に接続するものである。
【００２３】
制御部１３は、外部電源１８および蓄電池１２と電気的に接続されており、外部電源１８および蓄電池１２からの電力を光源１１、報知部１、通信部１４などに供給するものである。制御部１３には、外部電源１８から供給された電力が端子台１９を介して供給される。制御部１３は、常用時には外部電源１８により蓄電池１２を充電し、非常時には蓄電池１２の電力を光源１１に供給するように制御する。
【００２４】
また、制御部１３は、点検部１５と記憶部（図示しない）を備えており、点検部１５が点検した点検情報を記憶部に記憶し、点検情報を通信部１４から外部端末２０へ出力するように制御することができる。
【００２５】
点検部１５は、蓄電池１２の電圧、電流、温度、放電時間及び放電回数を検知することにより蓄電池１２が正常に動作するか否かの点検を行い、これらの点検情報を記憶部に出力する。
【００２６】
記憶部は、揮発性メモリおよび不揮発性メモリなどから構成される。記憶部は、点検部から入力される点検情報や照明装置１０の製造番号、製造年月日などの情報を記憶する。
【００２７】
計時部１７は、時間を計時する機能を有しており、外部電源１８または蓄電池１２から供給される電力により駆動する。計時部１７は、照明装置１０がオフィスなどの天井に設置され外部電源１８または蓄電池１２から電力が供給されると時間の計時を開始する。
【００２８】
制御部１３は、計時部１７が計時した時間を呼び出し、計時時間から駆動経過時間を算出し報知部１により経過時間を報知させることができる。たとえば、計時部１７が計時した時間から蓄電池１２の駆動経過時間を算出して、この経過時間に対応した回数報知部１を点滅させる。具体的には、計時部１７が計時した時間が８００日に該当する場合、制御部１３は計時時間８００日から蓄電池１２の駆動経過時間は２年と算出する。駆動経過時間を算出した制御部１３は、駆動経過時間に対応した回数分報知部１２を点滅させる。つまり算出した経過時間が２年であるため報知部１を２回点滅させる。なお、経過時間としては、年数や月数で表現する方法が適用できる。
【００２９】
また、制御部１３は、計時部１７の計時時間が予め設定した時間に達した場合、報知部１を点滅させる機能を有する。たとえば、予め設定時間を５年と設定しておくことで計時部１７が計時を開始して５年に達した場合、報知部１を点滅させることにより外観で点検時期であることを知らせる。また、制御部１３は予め設定した時間に計時部１７が達した場合、点検部１５に点検動作を開始させ、点検後に報知部１を点滅させてもよい。
【００３０】
また、制御部１２は、計時部１７の計時時間から算出した駆動経過時間を通信部１４を介して外部端末２０に送信する機能を有する。
【００３１】
通信部１４は、無線通信でデータを送受信するためのインターフェースである。通信部１４は、たとえば、Ｂｌｕｅｔｏｏｔｈ（登録商標）接続をサポートするインターフェースである。ここでは、ＢＬＥ通信をサポートするものとする。通信部１４は、制御部１３に接続されており外部端末２０との間で点検や駆動経過時間の要求信号を送受信する。
【００３２】
たとえば、外部端末２０から点検信号を受信した場合、通信部１４は制御部１３に点検信号を送信し、制御部１３は点検部１５に点検動作を実施させる。照明装置１０は、点検後に通信部１４を介して点検結果を外部端末２０へ送信する。また、外部端末２０から蓄電池１の駆動経過時間の要求信号を受信した場合、通信部１４は要求信号を制御部１３に送信し、制御部１３は計時部１７の計時時間から駆動経過時間を算出し、駆動経過時間に該当する回数だけ報知部１を点滅させる。制御部１３は、報知部１を点滅させる場合、駆動経過時間に応じた回数分を短い間隔で点滅後に、点滅間隔よりも長い時間消灯したあと再度点滅を行う。たとえば、駆動経過時間が３年の場合、０．５秒間隔で３回点滅後に３秒消灯し再度０．５秒間隔で３回点滅を行う。この動作の場合、制御部１３は、外部端末２０から点滅を停止する信号を受信するまで点滅を繰り返す。
【００３３】
また、制御部１３は駆動経過時間の情報を通信部１４を介して外部端末２０に送信することにより、情報を受信した外部端末２０は、自機の表示部２１に駆動経過時間を表示する。
【００３４】
また、照明装置１０はＢＬＥによるメッシュネットワークにより複数の照明装置１０との間で点検結果や蓄電池１２の駆動経過時間の要求信号を送受信することが可能である。たとえば、照明装置１０a〜１０iの内照明装置１０aが親機となり照明装置１０b〜１０iの照明装置１０の点検結果を収集することができる。
【００３５】
次に、図４を参照して照明システム１００の動作について説明する。ここで、照明装置１０a〜１０iを設置されているものとする。
【００３６】
照明装置１０a〜１０iをそれぞれ天井面に設置して外部電源１８をオンにする（Ｓ１）。外部電源１８から電力が供給されると各照明装置１０は、自機の計時部１７に電力を供給し計時を開始する（Ｓ２）。作業者は、蓄電池１２の駆動経過時間を確認する場合、外部端末２０から照明装置１０aに対し蓄電池１２の駆動経過時間についての要求信号を送信する（Ｓ３）。要求信号を受信した照明装置１０aは、制御部１３が計時部１７が計時する時間を読み取り年数を算出する（Ｓ４）。制御部１３は、算出した計時年数に応じて報知部１を点滅させる（Ｓ５）。Ｓ５で照明装置１０aが点滅を繰り返す場合は、外部端末２０から点滅停止信号を送信することで、点滅停止信号を受信した照明装置１０aは点滅を停止する（Ｓ６）。このＳ３〜Ｓ６のステップを照明装置１０a〜１０iで行うことで点検作業者は、各照明装置１０a〜１０iの駆動経過時間である駆動年数を報知部１の点滅により把握することができる。
【００３７】
次に、計時部１７の計時時間が予め設定した時間に達した場合の動作を説明する。
【００３８】
図５を参照して、照明装置１０a〜１０iの計時部１７の計時時間が予め設定した時間に達した場合の動作を説明する。ここでは、照明装置１０a〜１０iを設置前に計時時間を蓄電池の適正交換時期である４年に設定しているものとする。
【００３９】
予め計時時間を４年に設定された照明装置１０a〜１０iをそれぞれ天井面に設置して外部電源１８をオンにする（Ｓ１）。外部電源１８から電力が供給されると各照明装置１０は、自機の計時部１７に電力を供給し計時を開始する（Ｓ２）。各照明装置１０の計時部１７が時間を計時し、計時時間が予め設定した４年に到達すると制御部１３は、報知部１を点滅させる。このとき、報知部１を４回の点滅させる動作を繰り返し行う（Ｓ３）。作業者は、点滅回数を確認した後に外部端末２０から照明装置１０aに点滅停止信号を送信すると、照明装置１０aは受信した点滅停止信号をＢＬＥメッシュを介して照明装置１０b〜１０iに送信する（Ｓ４）。点滅停止信号を受信した照明装置１０a〜１０iは報知部１の点滅を終了する（Ｓ５）。
【００４０】
このように、予め計時時間に達すると点滅を行う設定をすることで、点検作業者が照明装置を設置後に駆動経過時間が分からなくなってしまっても、自動的に蓄電池１２の適正交換時期に照明装置１０の報知部１が到達年数分点滅するため、蓄電池１２の駆動経過時間を報知部１の点滅で知らせるとともに蓄電池１２の交換を促すことができる。
【００４１】
次に、計時部１７の計時時間が予め設定した時間に到達後に点検動作を行う場合の動作を説明する。
【００４２】
図６を参照して、照明装置１０a〜１０iの計時部１７の計時時間が予め設定した時間に到達後に点検動作を行う場合の動作を説明する。ここでは、計時時間を予め１年と設定し、計時時間が１年に達すると点検部１５が蓄電池１２の点検を行うものとする。
【００４３】
図６に示すようにＳ１〜Ｓ３は図５のＳ１〜Ｓ３と同様の動作を行う。Ｓ３で計時部１７の計時時間が予め設定した時間に達した場合、制御部１３は点検部１５に蓄電池１２の点検動作を実施させる（Ｓ４）。各照明装置１０の制御部１３は、点検動作完了後に点検結果を記憶部に記憶し、計時部１７が到達した年数に応じて報知部１を繰り返し点滅させる（Ｓ５）。Ｓ５の点滅回数により駆動経過時間を把握した作業者は、外部端末２０から点検要情報を要求する点検結果求信号を照明装置１０aに送信する（Ｓ６）。照明装置１０aは、受信した点検結果要求信号をＢＬＥメッシュを介して照明装置１０b〜１０iに送信する（Ｓ７）。点滅停止信号を受信した照明装置１０ｂ〜１０iは、自機の記憶部に記憶した点検結果をＢＬＥメッシュを介して照明装置１０aに送信し、照明装置１０b〜１０iの点検結果を収集した照明装置１０aは、受信した照明装置１０b〜１０iの点検結果と自機の点検結果を外部端末２０へ送信する（Ｓ８）。作業者は、点検結果の受信を確認した後に外部端末２０から照明装置１０aに点滅停止信号を送信すると、照明装置１０aは受信した点滅停止信号をＢＬＥメッシュを介して照明装置１０b〜１０iに送信する（Ｓ９）。点滅停止信号を受信した照明装置１０a〜１０iは報知部１の点滅を終了する（Ｓ１０）。
【００４４】
このように、予め設定した計時時間に到達後に点検を実施し報知部１を点滅させることで、作業者は照明装置１０の報知部１の点滅回数により駆動経過時間を把握できるとともに、容易に点検結果を取得することができる。つまり、駆動経過時間を把握するとともに煩雑であった点検作業を一括で行うことができる。
【００４５】
なお、上述の報知部は、モニタランプに限らず、文字等を表示する表示部や音を発するスピーカなどによって構成してもよく、これらにより、経過時間を報知するようにしてもよい。
【００４６】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
１０  照明装置
１    報知部（モニタランプ）
１１  光源
１２  蓄電池
１３  制御部
１４  通信部
１５  点検部
１７  計時部
１８  外部電源
２０  外部端末
２１  表示部
【図１】
2019160440.tif 000003
【図２】
2019160440.tif 000004
【図３】
2019160440.tif 000005
【図４】
2019160440.tif 000006
【図５】
2019160440.tif 000007
【図６】
2019160440.tif 000008